(57)【要約】アクティブマトリクス型ディスプレイは、選択電極１１と制御電極１２とが交差する交点に関連する表示画素１０からなるマトリクスを有している。選択ドライバ２は、選択信号ＳＥを選択電極１１に供給する。制御ドライバ３は、制御信号ＤＡを制御電極１２に供給する。電圧レベルジェネレータ５は、複数の異なる電圧レベルＶBiをアクティブマトリクス型ディスプレイのレベル電極１３に供給する。アクティブマトリクス型ディスプレイは、電圧レベル電極１３での電圧レベルＶBiを画素１０に選択的に結合し、特定の画素１０に関連される選択信号ＳＥ及び制御信号ＤＡに依存して、複数の異なる電圧レベルＶBiのうちの１つを特定の１つの画素１０に供給するために配置される選択回路６を更に有している。選択信号ＳＥは、特定の画素１０が選択されたかを示し、制御信号ＤＡは、複数の異なる電圧レベルＶBiのうちのどの電圧レベルが特定の１つの画素１０に選択されたときに供給されなければならないかを示している。
2005538398.tif 000002
【特許請求の範囲】
【請求項１】
選択電極と制御電極とが交差する交点に関連している表示画素からなるマトリクスと、
選択信号を該選択電極に供給する選択ドライバと、
制御信号を該制御電極に供給する制御ドライバと、
複数の異なる電圧レベルを発生する電圧レベルジェネレータと、
関連する１つの表示画素が選択されたかを示す選択信号と、該複数の異なる電圧レベルのうちのどのレベルを該関連する１つの表示画素に供給すべきかを示す制御信号との両者に依存して、該複数の異なる電圧レベルのうちの選択された１つを少なくとも１つの電圧レベル電極を介して該関連する１つの表示画素に供給するため、該関連する１つの表示画素と該電圧レベルジェネレータとの間にそれぞれ結合される選択回路と、
を有することを特徴とするアクティブマトリクス型ディスプレイ。
【請求項２】
該電圧レベルジェネレータは、異なるレベルを有する単一の電圧信号が選択周期の間に時間的に連続して生じたときに該複数の異なる電圧レベルを供給するために調整され、該選択ドライバは、該選択期間のそれぞれの間に該関連する１つの表示画素を選択するために調整され、該制御信号は、該複数の異なる電圧レベルのうちの特定の電圧レベルが該関連する１つの表示画素に供給されるかを決定する、
ことを特徴とする請求項１記載のアクティブマトリクス型ディスプレイ。
【請求項３】
該選択回路は、
該関連する１つの表示画素と該単一の電圧信号を送出する単一の電圧レベル電極との間に結合される主要な電流経路を有する単一の駆動スイッチと、
制御電極のうちの１つと該単一の駆動スイッチの制御入力との間に配置されている主要な電流経路と、選択電極のうちの１つに結合される制御入力とを有する１つの選択スイッチとをそれぞれ有する、
ことを特徴とする請求項２記載のアクティブマトリクス型ディスプレイ。
【請求項４】
該電圧レベルジェネレータは、該複数の異なる電圧レベルのうちの少なくとも１つをそれぞれ含む少なくとも２つの電圧信号を供給するために調整され、
該選択ドライバは、それぞれの選択周期の間に該関連する１つの表示画素を選択するために調整され、該制御信号は、該少なくとも２つの電圧信号のうちのどの電圧信号が該関連する１つの表示画素に供給されるかを決定する、
ことを特徴とする請求項１記載のアクティブマトリクス型ディスプレイ。
【請求項５】
該アクティブマトリクス型ディスプレイは、それぞれが少なくとも２つの電圧信号のうちの１つを送出する少なくとも２つの電圧レベル電極を有し、
該選択ドライバは、
該関連する１つの表示画素と該少なくとも２つの電圧レベル電極のうちの１つとの間に結合される主要な電流経路をそれぞれ有する複数の駆動スイッチと、
該選択電極の同じ１つと該少なくとも２つの駆動スイッチのうちの１つの関連する制御入力との間にそれぞれ結合される複数の選択スイッチとを有し、
該制御ドライバは、該制御信号を少なくとも１つの制御電極を介して該複数の選択スイッチの関連する制御入力に供給するために調整される、
ことを特徴とする請求項４記載のアクティブマトリクス型ディスプレイ。
【請求項６】
該画素は電気泳動材料を含む、
ことを特徴とする請求項１乃至５のいずれか記載のアクティブマトリクス型ディスプレイ。
【請求項７】
選択電極と制御電極とが交差する交点に関連している表示画素からなるマトリクスを有するアクティブマトリクス型ディスプレイを駆動する方法であって、
選択信号を該選択電極に供給するステップと、
制御信号を該制御電極に供給するステップと、
複数の異なる電圧レベルを発生するステップと、
関連する１つの表示画素が選択されたかを示す選択信号と、該複数の異なる電圧レベルのうちのどのレベルを該関連する１つの表示画素に供給すべきかを示す制御信号との両者に依存して、該複数の異なる電圧レベルのうちの選択された１つを少なくとも１つの電圧レベル電極を介して該関連する１つの表示画素に供給するステップと、
を有することを特徴とする方法。
【請求項８】
アクティブマトリクス型ディスプレイをもつ表示装置であって、
選択電極と制御電極とが交差する交点に関連する表示画素からなるマトリクスと、
入力表示信号を受け、第一の制御信号、第二の制御信号及び第三の制御信号を供給するための信号処理回路と、
該第一の制御信号の制御下で選択信号を該選択電極に供給する選択ドライバと、
該第二の制御信号の制御下で制御信号を該制御電極に供給する制御ドライバと、
該第三の制御信号の制御下で複数の異なる電圧レベルを発生する電圧レベルジェネレータと、
関連する１つの表示画素が選択されたかを示す選択信号と、該複数の異なる電圧レベルのうちのどの電圧レベルを該関連する１つの表示画素に供給すべきかを示す制御信号との両者に依存して、該複数の異なる電圧レベルのうちの選択された電圧レベルを関連する１つの表示画素に供給するため、該関連する１つの表示画素と該電圧レベルジェネレータとの間にそれぞれ結合される選択回路と、
を有するアクティブマトリクス型ディスプレイをもつ表示装置。
【発明の詳細な説明】
【技術分野】
【０００１】
本発明は、アクティブマトリクス型ディスプレイ、該アクティブマトリクス型ディスプレイを駆動する方法、及び該アクティブマトリクス型ディスプレイを有する表示装置に関する。
【背景技術】
【０００２】
US-B-66,184,854号は、マトリクス型ディスプレイの駆動システムを開示しており、このマトリクス型ディスプレイは、ＤＡＣにより異なるバイアスレベルを発生している。バイアスレベルは、行及び列ドライバに供給される。
【発明の開示】
【発明が解決しようとする課題】
【０００３】
この従来技術は、複数のバイアス電圧レベルを扱う必要がある複雑なドライバが必要とされるという問題を有する。
本発明の目的は、複雑さのないデータドライバが使用されるマトリクス型ディスプレイを提供することにある。
【課題を解決するための手段】
【０００４】
本発明の第一の態様は、請求項１記載のアクティブマトリクス型ディスプレイを提供する。本発明の第二の態様は、請求項７記載のマトリクス型ディスプレイを駆動する方法を提供する。本発明の第三の態様は、請求項８記載のディスプレイ装置を提供する。有利な実施の形態が従属の請求項で定義される。
【０００５】
アクティブマトリクス型ディスプレイは、選択電極と制御電極とが交差する交点に関連する表示画素からなるマトリクスを有している。選択ドライバは、選択信号を選択電極に供給する。制御ドライバは、制御信号を制御電極に供給する。電圧レベルジェネレータは、複数の異なる電圧レベルをアクティブマトリクス型ディスプレイのレベル電極に供給する。アクティブマトリクス型ディスプレイは、選択回路を更に有しており、この選択回路は、特定の画素に関連する選択信号及び制御信号に依存して、複数の異なる電圧レベルのうちの１つを該特定の１つの画素に供給するため、電圧レベル電極での電圧レベルを画素に選択的に結合するために配置される選択回路をさらに有している。選択信号は、特定の画素が選択されたかを示し、制御信号は、複数の異なる電圧レベルのうちの１つが、選択されたときに特定の１つの画素に供給される必要があるかを示す。
【０００６】
本発明の第一の態様に係る駆動スキームは、複数の異なる電圧レベルの選択を制御することのみを必要とする簡単な制御ドライバが使用される一方で、多くの電圧レベルを画素に供給可能とする。制御ドライバの電圧レンジは、選択回路を制御するために必要とされる電圧レベルにより決定されるだけであり、もはや画素間で必要とされる電圧により決定されるのではない。従来のマトリクス型ディスプレイでは、制御ドライバはデータドライバであり、制御電極はデータ電極である。本発明の第一の態様に係るマトリクス型ディスプレイでは、実際の電圧を画素に供給するため余分のレベル電極が実現され、従来のデータドライバは、選択回路を制御することのみを必要とする制御ドライバにより置き換えられる。したがって、従来のデータドライバの複雑さ、及び従来のデータドライバに課される要件が減少される。これは、大量のデータ／制御電極に接続される出力ステージの量が非常に高いので非常に重要である。しかし、ディスプレイの複雑さは、選択回路及び余分のレベル電極が必要とされるので増加する。
【０００７】
US-A-4,833,464号は、画素に供給されるパルス期間に依存して電気泳動ディスプレイの画素のグレイレベルに関する制御を開示している。この従来技術の問題点は、制限された量のグレイレベルのみが、最少のパルス期間及び最大のパルス期間の両方が制限される予め定義されたフィールド周期内で完全なデータフィールドが表示されなければならない実際のアプリケーションとして可能な点である。
【０００８】
請求項２で定義される実施の形態では、異なる電圧レベルは、連続する選択周期の間に１つの電圧信号で利用可能である。それぞれ１つの画素は、１つのレベル電極に関連される必要がある。特定の画素の選択回路は、必要とされる電圧レベルが画素に供給されるように、適切な選択周期のうちの１つの間の１つの電圧レベルを画素に供給するため、関連される選択及び制御信号により制御される。かかるマトリクス型ディスプレイの駆動は、マトリクス型ディスプレイがサブフィールド駆動型である場合に、異なる電圧レベルを異なるサブフィールドの間にレベル電極に供給することで容易に可能である。全てのレベル電極は、特定のサブフィールドの間に、同じ電圧レベルを受ける場合がある。
【０００９】
請求項３で定義される実施の形態では、選択回路は、１つの駆動スイッチ及び１つの選択スイッチを介して、１つの電圧を特定の画素に供給する。駆動スイッチは、アクチベートされたときに、１つの電圧を画素の供給するために配置される。関連する選択信号によりアクチベートされたとき、選択スイッチは、関連する制御信号を駆動スイッチの制御入力に供給する。ここで、データドライバは、画素当たり１つの駆動スイッチを制御する必要があり、２つのレベルデータドライバのみを使用することができる。かかるデータドライバは、簡単な構成を有し、容易に利用可能である。画素当たりの余分の回路は、１つの選択スイッチ及び１つの駆動スイッチに制限される。
【００１０】
請求項４で定義される実施の形態によれば、それぞれの電圧信号が１つのレベル又は要求されたレベルのサブセットを有する場合がある少なくとも２つの電圧信号が発生される。全ての電圧信号は、要求される全ての電圧レベルを共に供給する。全ての電圧信号は、それ自身のレベル電極をそれぞれが介して、全ての画素に選択的に供給される。選択回路は、もしあれば、電圧レベルのうちのどの１つを特定の選択周期の間に特定の画素に供給されるかを判定する。１を超える電圧信号の使用により、全ての画素を選択するために必要とされる選択周期の数を減少することを可能とし、これにより画素のリフレッシュレートを増加する。
【００１１】
請求項５で定義される実施の形態では、１つの画素は、複数の駆動スイッチを介して複数のレベルに結合され、それぞれのレベル電極は、異なる電圧信号を搬送する。それぞれの選択周期の間、要求される電圧レベルを有する要求される電圧信号を正しい駆動スイッチをアクチベートすることで画素に供給することが可能である。制御回路は、デコーダ（たとえば、マルチプレクサ）を含んでいる場合があり、このデコーダは、同じ画素と全てが関連される幾つかの制御電極での電圧レベルから閉じるべき駆動スイッチをデコードする。たとえば、４つの異なる電圧レベルを画素に選択的に結合するため、４つの駆動スイッチが実現され、それぞれが２つのレベルを有する２つの制御電極は、もしあれば、関連される選択電極により示されるように画素が選択されたとき、駆動スイッチのうちのどの１つを閉じるべきかを判定可能である。勿論、多くの代替が可能であり、たとえば、画素当たり要求される制御電極の数を最少にするため、２を超えるレベルが制御電極に関して使用される場合がある。
【００１２】
請求項６で定義される実施の形態では、マトリクス型ディスプレイは、電気泳動ディスプレイである。かかるディスプレイは、リフレッシュされないとき、画素の光学的状態が比較的長時間の間に保持されるという利点を有する。これは、時間的に連続に全ての電圧レベルを含む１つの電圧信号が画素ライン当たり１つのレベル電極で利用可能なときに生じる場合がある長いリフレッシュレートを可能にする。
【００１３】
本発明のこれらの態様及び他の態様は、以下に説明される実施の形態から明らかとなり、以下に記載される実施の形態を参照して明らかとなるであろう。
異なる図面における同じ参照符号は、同じ信号、又は同じ機能を実行する同じエレメントを示している。
【発明を実施するための最良の形態】
【００１４】
図１は、本発明に係る表示装置の実施の形態を示している。表示装置は、マトリクス型ディスプレイ１、選択ドライバ２、制御ドライバ３、電圧レベルジェネレータ５及び信号処理回路４を有している。図１では、明確さのため、マトリクス型ディスプレイの２つの表示セルのみが示されている。実際の実現では、マトリクス型ディスプレイ１は、更に多くの表示セルを有している、表示セルの同じエレメントは、同じ参照符号で示されている。
【００１５】
選択ドライバ２は、選択信号を選択電極１１に供給する。通常、選択ドライバ２は行ドライバであり、選択電極１１は水平方向で延びている。通常、選択ドライバ２は、フレーム周期の間に１つずつ、選択電極１１のうちのそれぞれ１つに関連する全ての行の画素１０を選択する。
【００１６】
制御ドライバ３は、制御信号ＤＡを制御電極１２に供給する。従来のマトリクス型ディスプレイでは、制御ドライバ３は、データドライバであり、このデータドライバは、データ信号を垂直方向に延びる列電極に供給する。これらのデータ信号が十分なグレイレベルを発生するために複数のレベルを有することが可能でなければならない場合、複雑なデータドライバが必要とされる。本発明の態様によれば、制御ドライバ３は、従来のデータドライバを置き換えるものであり、従来のデータ信号として少ないレベルを含む制御信号ＤＡを供給する。結果的に、制御ドライバ３は、従来のデータドライバよりも複雑化されていない。他方で、マトリクス型ディスプレイは、複数のレベルが表示画素１０にわたり供給される必要があるため、更に複雑化されることとなる。図１に示される本発明に係る実施の形態では、全てのレベル電極１３は相互接続され、図２に関して考えられるように連続的に生じる複数の電圧レベルＶBiを有する電圧信号ＶBを搬送する。
【００１７】
信号処理回路４は、マトリクス型ディスプレイで表示されるべき入力信号ＶＩを受け、制御信号ＣＳ，ＣＣ及びＣＧを供給する。制御信号ＣＳは、１つずつ選択電極１１を選択するために選択ドライバ２に供給される。電圧レベルジェネレータ５は、電圧信号ＶＢの適切な電圧レベルＶBiを供給するため、制御信号ＣＧを受ける。幾つかの可能性は、電圧レベルＶBiを供給するために存在する。たとえば、好適な実施の形態では、特定の電圧レベルＶBiがレベル電極１３に存在する選択時間ＴＳは、マトリクス型ディスプレイの全ての画素１０の行が選択されるサブフレーム周期に等しい。次の電圧レベルＶBiは、次のサブフレーム周期の間にレベル電極１３に存在する。
【００１８】
表示セルは、画素１０、選択回路６、並びに選択電極１１、制御電極１２及びレベル電極１３の一部をそれぞれ含んでいる。図１に示されるセルの実施の形態では、選択回路６は、選択スイッチ１４、駆動スイッチ１６及びストレージキャパシタ１５を含んでいる。選択スイッチは、薄膜トランジスタであり、制御電極１２とストレージキャパシタ１５の一方の端との間に結合される主要な電流経路を有している。ストレージキャパシタ１５の他方の端は、基準電位に結合されている。選択スイッチ１４の制御電極は、選択電極１１に結合されている。駆動スイッチ１６は、ストレージキャパシタ１５と選択スイッチ１４の主要な電流経路との接続点に結合される制御入力、及び画素１０の一方の端とレベル電極１３との間に配置される主要な電流経路を有している。画素１０の他方の端は、共通の電極に接続される。全ての画素１０、又は画素１０のグループは、（同じ）共通の電極に接続される。
【００１９】
マトリクス型ディスプレイ１の動作は、図２に関して考えられる。
図２は、選択周期ＴＳの間に連続的に生じる複数の電圧レベルＶBiを有する１つの電圧信号ＶBの例を示している。たとえば、１つの電圧信号ＶBが全てのレベル電極１３に共通して供給される場合、選択ドライバ３により画素１０の行が１つずつ連続的に選択される完全なサブフレーム周期の間に、特定の電圧レベルＶBiが存在する。画素１０の行は、行選択周期の間に適切なパルスを関連する選択電極１１に供給することで選択される。それぞれの行選択周期の間、制御ドライバ２は、選択された行で表示されるべき画像ラインに依存して画素１０の状態を制御するため、制御信号ＤＡを並列に選択された行の画素１０に供給する。
【００２０】
特定の選択電極１１が選択信号をハイレベルで供給することで選択された場合、この選択電極１１に関連する選択スイッチ１４が導通し、制御電極１２に並列に存在する制御信号ＤＡは、ストレージキャパシタ１５に供給される。制御信号ＤＡがハイレベルを有する制御電極１２に関連する駆動スイッチ１６は、導通し、選択された選択電極１１に関連するレベル電極１３に存在する電圧レベルＶBiを関連する画素１０に結合する。ロウレベルが存在する制御電極１２に関連する駆動スイッチ１６は、非導通状態のままであり、関連する画素１０は、これらの画素がある電圧状態を保持する。全ての電圧レベルＶBiが全てのレベル電極１３に与えられるまで、画素１０の行の選択が繰り返される。
【００２１】
図１に示される本発明の実施の形態では、特定のサブフレーム周期の間、電圧レベルＶB1が全てのレベル電極１３に存在し、全ての選択電極１１は１つずつ選択される。制御信号ＤＡは、この特定の電圧レベルＶB1がどの画素１０に与えられるかを決定する。次いで、サブフレーム周期の間、次の電圧レベルＶB2が全てのレベル電極１３で存在し、全ての選択電極１１が１つずつ選択される。さらに、制御信号ＤＡは、この特定の電圧レベルＶB2がどの画素に与えられるかを決定する。したがって、電圧レベルＶBiの数だけ続くフレームは、サブフレーム周期を調整し、全ての画素１０は、電圧レベルＶBiのうちの１つに接続される機会を有する。完全なアドレス指定周期は、幾つかのフレームを続ける場合がある。多数のグレイレベルの画素１０が可能である。たとえば、電圧レベルＶB2又は電圧レベルＶB2は、完全なアドレス指定周期の間に特定の画素１０に存在する場合があり、第一のグレイレベル又は第二のグレイレベルのそれぞれとなる。第一及び第二のグレイレベルの間におけるグレイレベルは、完全なアドレスサイクルのフレーム周期の幾つかの間に画素１０を電圧レベルＶB2に接続すること、及びこの完全なアドレス指定サイクルのフレーム周期の残りの間に画素１０を電圧レベルＶB3に接続することで得られる場合がある。
【００２２】
それぞれの画素１０の行により、個別のレベル電極１３が関連されることも可能である。異なるレベル電極１３は、同じフレーム周期の間に異なる電圧レベルＶBiを送る場合がある。それぞれの行選択周期の後に、レベル電極１３で電圧レベルＶBiを変えることも可能である。
【００２３】
図１に示される実施の形態では、駆動スイッチ１６は、後続のフレームの開始前に、非導通となるためにリセットされる必要がある。さもなければ、導通状態にあった駆動スイッチ１６は、このようにするためにアドレス指定されることなしに、連続する電圧レベルＶBiに接続される。全ての駆動スイッチ１６は、全ての選択電極１１をはじめに選択し、全てのデータ電極１２に関してハイレベルを供給し、ロウレベルを供給することで、たとえばライン周期である短時間の周期内でリセットすることができる。全ての選択スイッチ１１は導通状態であり、全てのキャパシタが放電され、全てのスイッチ１６が非導通状態となる。
【００２４】
キャパシタ１５を省略することもでき、これにより、必要に応じて駆動スイッチが選択周期の間に導通状態となり、その後非導通状態となる。画素１０間の電圧は、画素のキャパシタンスにより維持される。余分のキャパシタは、画素キャパシタンスの値が余りに低く十分に長く画素１０間の電圧を維持することができない場合、（図１に図示されない）画素のキャパシタンスと並列に配置される場合がある。
【００２５】
図３は、本発明に係る表示セルの実施の形態を示している。ここで、それぞれの表示セルは、画素１０、２つの駆動スイッチ１６０，１６１、２つの選択スイッチ１４０，１４１、及び２つのストレージキャパシタ１５０，１５１を有している。
【００２６】
画素１０は、共通電極１７に接続される一方の端、及び駆動スイッチ１６０及び１６１の主要な電流経路の接続部に接続される別の端を有している。駆動スイッチ１６０の主要な経路の他方の端は、レベル電極１３０の電圧信号ＶBAを受け、駆動スイッチ１６１の主要な経路の他方の端は、レベル電極１３１での電圧信号ＶBBを受ける。
【００２７】
駆動スイッチ１６０の鮮魚電極は、ストレージキャパシタ１５０、選択スイッチ１４０の主要な電流経路に接続される。ストレージキャパシタ１５０の他方の端は、基準レベルに接続される。選択スイッチ１４０の主要な経路の他方の端は、制御電極１２１に接続される。選択スイッチ１４０の制御入力は、選択電極１１に接続されている。
【００２８】
駆動スイッチ１６１の制御電極は、ストレージキャパシタ１５１、及び選択スイッチ１４１の主要な電流経路に接続されている。ストレージキャパシタ１５１の他方の端は、基準レベルに接続される。選択スイッチ１４１の主要な経路の他方の端は、制御電極１２２に接続される。選択スイッチ１４１の制御入力は、選択電極１１に接続される。
【００２９】
この表示セルの動作は、図４に関して説明される。
図４は、複数の電圧信号の例を示している。電圧信号ＶBAは、互いに時間に関して連続する正の電圧レベルＶBiを含み、電圧信号ＶBBは、互いに時間に関して連続する負の電圧レベルＶBiを含んでいる。選択電極１１と関連する画素１０の行が選択される行選択周期の間（この例では、選択電極１１の選択信号ＳＥがハイレベルを有するとき）、選択スイッチ１４０及び１４１の両者は導通しており、データ信号ＤＡ１及びＤＡ２は、ストレージキャパシタ１５０及び１５１のそれぞれに供給される。データ信号ＤＡ１及びＤＡ２のレベルに依存して、駆動スイッチ１６０及び１６１のうちの０又は１つが導通状態にある。駆動スイッチのいずれもが導通状態にない場合、画素１０の前の電圧状態が維持される。駆動スイッチ１６０が導通状態にある場合、電圧信号ＶBAは、画素１０に供給され、駆動スイッチ１６１が導通状態にある場合、電圧信号ＶBBは、画素１０に供給される。
【００３０】
フレームにおいて、全ての選択電極１１が電圧信号ＶBA及びＶBBの電圧レベルＶBiのそれぞれについて１つずつ選択される。したがって、フレームの間、それぞれの画素１０について、全ての可能な電圧レベルＶBiのうちから選択することができる。フレームの間、単に４つの連続する電圧レベルＶBiが、図２に示される７つのレベルの代わりに、レベル電極１３０及び１３１に与えられる必要があり、図３に示される本発明に係る実施の形態は、完全なアドレス指定サイクルを実行するための時間を必要とせず、これにより画素のリフレッシュレートが高くなる。
【００３１】
図３及び図４に関して２つの電圧信号ＶBA及びＶBBが示されているが、個別のレベル電極１３をそれぞれ介して、２を超える電圧信号ＶBを供給することもできる。電圧信号ＶBが異なるレベルを有することは必要とされない。
【００３２】
電圧信号ＶBの間で選択するために必要とされる制御電極１２の数は、電圧信号ＶBの数及び制御電極１２のレベル数に依存する。２つの制御電極１２が実現され、説明されるように２つのレベルの制御信号ＤＡのみを供給することができる簡単な制御ドライバ３が使用される場合、２つの選択スイッチ１４を制御することができる。原理的に、４つの状態を制御することが可能である。１つの状態では、画素の状態が維持され、他の状態では、３つの電圧信号ＶBのうちの１つを選択することができる。制御電極での制御信号ＤＡをスイッチのために適した制御信号に変換するためのデコーダが必要とされる。画素１０当たり更に多くの制御電極１２とすることで、直接的又はデコーダを介することで、より多くのスイッチを制御することができる。
【００３３】
幾つかの選択スイッチ１４を切替えるため、制御電極１２での２を超えるレベルを使用することもできる。
【００３４】
先に説明された実施の形態は、本発明を限定するものではなく、例示するものであって、当業者であれば、特許請求の範囲から逸脱することなしに代替的な実施の形態を設計することができるであろう。
【００３５】
請求項では、括弧間に位置される参照符号は、請求項を限定するものとして解釈されるべきではない。単語「有する“Comprising”」は、請求項で列挙された構成要素又はステップ以外の構成要素又はステップの存在を排除するものではない。本発明は、幾つかの別個のエレメントを有するハードウェア、及び適切にプログラムされたコンピュータにより実現することができる。幾つかの手段を列挙している装置の請求項では、これらの手段の幾つかは、同一のアイテムのハードウェアにより実現することができる。相互の異なる従属の請求項で所定の手段が引用されるという単なる事実は、これら手段の組み合わせが利益をもたらすために使用することができないことを示すものではない。
【図面の簡単な説明】
【００３６】
【図１】本発明に係る表示装置の実施の形態を示す回路図である。
【図２】１つの電圧信号の例を示す図である。
【図３】本発明に係る表示セルの実施の形態を示す図である。
【図４】図４Ａ及び図４Ｂは複数の電圧信号の例を示す図である。
【図１】
2005538398.tif 000003
【図２】
2005538398.tif 000004
【図３】
2005538398.tif 000005
2005538398.tif 000006
【国際調査報告】
2005538398.tif 000007
2005538398.tif 000008
2005538398.tif 000009